(57)【特許請求の範囲】
【請求項１】
開口が形成された箱状のハウジング、このハウジング内に設けられ、流入口、流出口および弁体を有する水栓本体、前記開口に配置され、前記水栓本体の流出口から流出可能な水の流量を調整するための流量調整ハンドル、およびこの流量調整ハンドルの回動操作を前記弁体に伝達するための伝達機構よりなる水道用コンセントを、既設の単水栓の給水配管に、前記単水栓を取り外した状態で、前記流入口を介して着脱自在に装着してあり、
さらに、前記弁体は、その軸心回りに回転可能な筒体を有しており、前記流入口から前記水栓本体内に至った水は、前記筒体の側壁に形成され、前記流入口に連通する貫通孔から前記筒体の内部を経た後に前記流出口から送出されるように構成されるとともに、前記筒体の回動操作に伴って、前記流入口と前記貫通孔との重なり部分の大きさの変化により水栓本体内から前記流出口に送出可能な水の流量が調整可能に構成される一方、
前記伝達機構は、前記筒体の回動操作を行って前記流量調整ハンドルを全閉から全開、あるいは、全開から全閉に操作可能とするため、前記水栓本体の上方に突出し、かつ前記筒体と連動するスピンドル軸と、このスピンドル軸の外周に形成されたアウターセレーションに噛み合うインナーセレーションを有する円筒部およびこの円筒部の外周に連設されたピニオン部からなる回動部材と、前記流量調整ハンドルの後側に連設され、前記回動部材の前記ピニオン部に噛み合うギヤ部材とから構成されていることを特徴とする水道用コンセントを用いた給水機構。
【請求項２】
前記開口が前記ハウジングの前面部に形成されている請求項１に記載の水道用コンセントを用いた給水機構。
【請求項３】
前記開口が前記ハウジングの上面部に形成されている請求項１に記載の水道用コンセントを用いた給水機構。
【請求項４】
第１の切欠き部を有する背板およびこの背板によって覆われる後方開口を有する前蓋よりなる箱状のハウジングと、前記前蓋の前面部または上面部に形成された第１の開口と、前記前蓋の下面部に形成された第２の切欠き部と、前記ハウジング内に設けられ、該ハウジングの前記第１の切欠き部を横切る形で流入パイプの流入口を横向き状態で有するとともに、該ハウジングの前記第２の切欠き部を横切る形で流出パイプの流出口を下向き状態で有し、更に、前記流入口および流出口間に弁体を有する水栓本体と、前記第１の開口に配置され、前記流出口から流出可能な水の流量を調整するための流量調整ハンドルと、この流量調整ハンドルの回動操作を前記弁体に伝達するための伝達機構とを備え、更に、既設の単水栓を取り外した状態の給水配管の給水口と前記流入口を連通させるために前記水栓本体における前記流入口のまわりに装着された接続部材を有する水道用コンセントであって、
前記弁体は、その軸心回りに回転可能な筒体を有しており、前記流入口から前記水栓本体内に至った水は、前記筒体の側壁に形成され、前記流入口に連通する貫通孔から前記筒体の内部を経た後に前記流出口から送出されるように構成されるとともに、前記筒体の回動操作に伴って、前記流入口と前記貫通孔との重なり部分の大きさの変化により水栓本体内から前記流出口に送出可能な水の流量が調整可能に構成される一方、
前記伝達機構は、前記筒体の回動操作を行って前記流量調整ハンドルを全閉から全開、あるいは、全開から全閉に操作可能とするため、前記水栓本体の上方に突出し、かつ前記筒体と連動するスピンドル軸と、このスピンドル軸の外周に形成されたアウターセレーションに噛み合うインナーセレーションを有する円筒部およびこの円筒部の外周に連設されたピニオン部からなる回動部材と、前記流量調整ハンドルの後側に連設され、前記回動部材の前記ピニオン部に噛み合うギヤ部材とから構成されていることを特徴とする水道用コンセント。
【請求項５】
前記接続部材が、既設の単水栓を取り外した状態の給水配管の給水口と前記流入口を接続するための六角ナットであり、この六角ナットと前記流出口を前記第１の切欠き部の領域内に設けてある請求項４に記載の水道用コンセント。
【請求項６】
前記接続部材が、既設の単水栓を取り外した状態の給水配管の給水口と前記流入口を接続するための六角ナットであり、この六角ナットを前記第１の切欠き部の領域内に設けるとともに、前記流出口を前記第１の領域外に設けてある請求項４に記載の水道用コンセント。
【発明の詳細な説明】
【０００１】
【発明の属する技術分野】
この発明は、給水配管から既設の例えば洗濯機ホース接続用自在水栓（単水栓）を取り外した後前記給水配管に取り付けできて容易に後施工できる新規な水道用コンセントを用いた給水機構および水道用コンセントに関する。
【０００２】
【従来の技術】
水道水等を吐水する水栓としては、図７に示すような回転式操作ハンドルによる自在水栓（単水栓）４３が一般的である。図７において、６１は青銅鋳物からなる蛇口本体であり、後側に設けられた前後方向の給水部６２と，中央部の上面に設けられた上下方向の取付部６３と，前側に下方に湾曲して設けられた吐水部６４とから構成され、前記給水部６２に、例えばエルボ４１と配管本体４０よりなる給水配管６５からの給水路６６が形成され、前記取付部６３の取付口６７から前記吐水部６４の吐水口６８にかけて吐水路６９が形成され、給水路６６と吐水路６９とを仕切った隔壁７０に形成された連通孔７１により、給水路６６および吐水路６９が連通している。
【０００３】
一方、７２は取付部６３の吐水路６９内に挿通される上下方向の栓棒であり、上部が取付口６７から上方に突出する。７３，７４は栓棒７２の上側および下側に形成された螺孔および挿通孔であり、挿通孔７４に棒体７４ａが上下動自在に設けられ、この棒体７４ａに円板状の台座７５が固着され、台座７５の下面に合成ゴムからなるパッキン７６が設けられ、止水時，前記連通孔７１の周縁部に突設された環状の弁座７７に圧接する。７８は栓棒７２に形成されたねじ部であり、取付部６３の内面に螺合する。
【０００４】
８０は栓棒７２の上部が挿通される押さえ金具であり、内部に三角パッキン８１が設けられ、このパッキン８１が受板８２により押さえ金具８０内に支持されている。８３は操作ハンドルであり、ねじ８４により栓棒７２の上端部に固定され、押さえ金具８０が蛇口本体６１の取付部６３に螺合し、栓棒７２，パッキン７６，押さえ金具８０，操作ハンドル８３からなる自在水栓本体８５が蛇口本体６１に取り付けられる。
【０００５】
そして、操作ハンドル８３を反時計方向に回転して緩めると、栓棒７２が上方に移動し、パッキン７６が水圧により押し上げられて弁座７７から離脱し、蛇口本体６１の給水路６６から連通孔７１を介して吐水路６９に水が流れ、吐水路６９の吐水口８から吐水される。また、操作ハンドル８３を回動操作することによって吐水流量を適宜調節することができる。
【０００６】
【発明が解決しようとする課題】
従来の前記自在水栓（単水栓）４３の場合、操作ハンドル８３の回動操作により流量調節を行っているため、操作が煩雑であるとともに、操作ハンドル８３の回動操作を繰り返すことによりパッキン７６が劣化するという問題がある。
【０００７】
しかも、パッキン７６が劣化すると、操作ハンドル８３を締めつけても、完全に止水することができず、水漏れが生じ、止水する際、操作ハンドル８３をきつく締めつける必要があるという問題がある。
【０００８】
また、座金１０１を介して蛇口本体６１が取り付けられている壁４２の前面Ｗからの突出長さＡ1 が、８０〜２００ｍｍと長く出っ張っているので、前記自在水栓４３と例えば洗濯機の設置場所のスペースが非常に狭くなっている場合には、洗濯機の蓋が蛇口本体６１に当たるおそれがある。
【０００９】
しかも、給水配管６５の給水口１００と前記給水部６２の接続の際に、座金１０１と壁４２の前面Ｗとの間に隙間Ｍが生じる場合もある。そのため、この隙間Ｍにごみ等がたまらないように隙間Ｍを埋める必要がある。
【００１０】
この発明は、前記の点に留意してなされたものであり、その目的は、先に設置されていた自在水栓に比べ壁面からの突出長さを短くでき、耐久性を有し、更に、容易に後施工できる新規な水道用コンセントを用いた給水機構および水道用コンセントを提供することである。
【００１１】
【課題を解決するための手段】
上記目的を達成するために、この発明の水道用コンセントを用いた給水機構は、開口が形成された箱状のハウジング、このハウジング内に設けられ、流入口、流出口および弁体を有する水栓本体、前記開口に配置され、前記水栓本体の流出口から流出可能な水の流量を調整するための流量調整ハンドル、およびこの流量調整ハンドルの回動操作を前記弁体に伝達するための伝達機構よりなる水道用コンセントを、既設の単水栓の給水配管に、前記単水栓を取り外した状態で、前記流入口を介して着脱自在に装着してあり、
さらに、前記弁体は、その軸心回りに回転可能な筒体を有しており、前記流入口から前記水栓本体内に至った水は、前記筒体の側壁に形成され、前記流入口に連通する貫通孔から前記筒体の内部を経た後に前記流出口から送出されるように構成されるとともに、前記筒体の回動操作に伴って、前記流入口と前記貫通孔との重なり部分の大きさの変化により水栓本体内から前記流出口に送出可能な水の流量が調整可能に構成される一方、
前記伝達機構は、前記筒体の回動操作を行って前記流量調整ハンドルを全閉から全開、あるいは、全開から全閉に操作可能とするため、前記水栓本体の上方に突出し、かつ前記筒体と連動するスピンドル軸と、このスピンドル軸の外周に形成されたアウターセレーションに噛み合うインナーセレーションを有する円筒部およびこの円筒部の外周に連設されたピニオン部からなる回動部材と、前記流量調整ハンドルの後側に連設され、前記回動部材の前記ピニオン部に噛み合うギヤ部材とから構成されている。
【００１２】
また、この発明の水道用コンセントは、第１の切欠き部を有する背板およびこの背板によって覆われる後方開口を有する前蓋よりなる箱状のハウジングと、前記前蓋の前面部または下面部に形成された第１の開口と、前記前蓋の下面部に形成された第２の切欠き部と、前記ハウジング内に設けられ、該ハウジングの前記第１の切欠き部を横切る形で流入パイプの流入口を横向き状態で有するとともに、該ハウジングの前記第２の切欠き部を横切る形で流出パイプの流出口を下向き状態で有し、更に、前記流入口および流出口間に弁体を有する水栓本体と、前記第１の開口に配置され、前記流出口から流出可能な水の流量を調整するための流量調整ハンドルと、この流量調整ハンドルの回動操作を前記弁体に伝達するための伝達機構とを備え、更に、既設の単水栓を取り外した状態の給水配管の給水口と前記流入口を連通させるために前記水栓本体における前記流入口のまわりに装着された接続部材を有する水道用コンセントであって、
前記弁体は、その軸心回りに回転可能な筒体を有しており、前記流入口から前記水栓本体内に至った水は、前記筒体の側壁に形成され、前記流入口に連通する貫通孔から前記筒体の内部を経た後に前記流出口から送出されるように構成されるとともに、前記筒体の回動操作に伴って、前記流入口と前記貫通孔との重なり部分の大きさの変化により水栓本体内から前記流出口に送出可能な水の流量が調整可能に構成される一方、
前記伝達機構は、前記筒体の回動操作を行って前記流量調整ハンドルを全閉から全開、あるいは、全開から全閉に操作可能とするため、前記水栓本体の上方に突出し、かつ前記筒体と連動するスピンドル軸と、このスピンドル軸の外周に形成されたアウターセレーションに噛み合うインナーセレーションを有する円筒部およびこの円筒部の外周に連設されたピニオン部からなる回動部材と、前記流量調整ハンドルの後側に連設され、前記回動部材の前記ピニオン部に噛み合うギヤ部材とから構成されている。
【００１３】
【発明の実施の形態】
以下、この発明の実施形態を、図面を参照しながら説明する。  図１〜図４は、この発明の一実施形態を示す。なお、図１〜図４において、図７に示した符号と同一のものは、同一または相当物である。
【００１４】
図１〜図４において、水道用コンセントＶは、ほぼ直方体形状のハウジング１と、流入口２および流出口３を有し、流入口２および流出口３間にカートリッジ式の弁体４を有する水栓本体５と、流出口３から流出可能な水の流量を調整するための流量調整ハンドル６と、この流量調整ハンドル６の回動操作を前記弁体４に伝達するための伝達機構７とを主として備えている。
【００１５】
前記カートリッジ式の弁体４は、セラミック製で、その軸心回りに回転可能な筒体４ａを有している。そして、前記流入口２から水栓本体５内に至った水は、前記筒体４ａの側壁に形成され、流入口２に連通する貫通孔（図示せず）から筒体４ａの内部を経た後に流出口３から送出されるように構成されており、前記筒体４ａの回動操作に伴って、流入口３と前記貫通孔との重なり部分の大きさが変化するため、水栓本体５内から流出口３に送出可能な水の流量も変化することになる。従って、筒体４ａの回動操作を行うことにより、流出口３から送出される水の流量を調整することができる。
【００１６】
そして、前記伝達機構７は、前記流量調整ハンドル６を用いて前記筒体４ａの回動操作を行うために設けられた機構であり、前記水栓本体５の上方に突出し、かつ前記筒体４ａと連動するスピンドル軸５６と、このスピンドル軸５６の外周に形成されたアウターセレーションに噛み合うインナーセレーションを有する円筒部５７およびこの円筒部５７の外周に連設されたピニオン部５８からなる回動部材５９と、前記流量調整ハンドル６の後側に連設され、前記回動部材５９のピニオン部５８に噛み合うギヤ部材Ｌとからなる。この構成では、流量調整ハンドル６を９０°回転させるだけで全閉から全開、あるいは、全開から全閉に操作できる。
【００１７】
更に、ハウジング１は、背板１０と、この背板１０が着脱可能な前蓋９とからなる。前蓋９は後方開口８を有し、係合時には前記背板１０は後方開口８に嵌め込まれる。
【００１８】
また、背板１０は、正面視略矩形に形成された金属製の薄板（厚みは１〜５ｍｍ）で、背板１０の下端１０ａの中央を上下方向（両矢印Ｚで示す方向）（Ｚ方向という）に切欠いた第１の切欠き部１１を有する。
【００１９】
一方、前記前蓋９は、合成樹脂製で、正面視略矩形でＺ方向に長く形成された前面部９ａと、左側面部９ｂと、左側面部９ｃと、上面部９ｄと、下面部９ｅとよりなる。上述したように、前蓋９は、前記背板１０によって覆われる後方開口８を有するが、この後方開口８は、両側面部９ｂ，９ｃ、上面部９ｄおよび下面部９ｅによって形成される。前記前蓋９の厚みも背板１０と同様、１〜５ｍｍと薄い。
【００２０】
また、前面部９ａのＺ方向の長さＢは、５０〜２００ｍｍが好ましく、この実施形態では１１０ｍｍである。また、前面部９ａの横方向（両矢印Ｘで示す方向）（Ｘ方向という）の長さＣは、５０〜２００ｍｍが好ましく、この実施形態では７５ｍｍである。また、前面部９ａの幅方向（両矢印Ｙで示す方向）（Ｙ方向）の長さＤは、２０〜１００ｍｍが好ましく、この実施形態では５６．５ｍｍである。更に、流量調整ハンドル６の前面部９ａ最前面ｍからのＹ方向への突出幅Ｅは０〜３５ｍｍが好ましく、この実施形態では１５．５ｍｍである。
【００２１】
そして、前記下面部９ｅは中央をＹ方向に切欠いた第２の切欠き部１１ａを有する。この切欠き部１１ａの形状は、例えば半円形である。
【００２２】
一方、背板１０のＸ方向の長さＦは、４５〜１９５ｍｍが好ましく、この実施形態では７０ｍｍである。また、背板１０のＺ方向の長さＧは、４５〜１９５ｍｍが好ましく、この実施形態では１０５ｍｍである。
【００２３】
１２は、背板１０の左右端１０ｂ，１０ｃの各上下位置に設けた立ち上がり部で、外面ｇに係止溝（図示せず）を有する。一方、前蓋９の左右側面部９ｂ，９ｃの内面には、前記係止溝に対応する位置に係止爪（図示せず）が設けられており、前記係止溝と係止爪を介して前蓋９と背板１０は係合する。
【００２４】
前記前面部９ａの最前面ｍには開口１３が形成されている。この開口１３に流量調整ハンドル６が配置される。
【００２５】
また、下面部９ｅの第２の切欠き部１１ａには、この切欠き部１１ａを横切る形で流出口３が形成された流出パイプ１４が流出口３を下方に向けながら配置されている。この流出パイプ１４には、例えば洗濯機の給水ホース側継手が接続される。
【００２６】
更に、背板１０の第１の切欠き部１１には、この切欠き部１１を横切る形で流入口２が形成された流入パイプ１５が流入口２をＹ方向に向けながら配置されている。
【００２７】
すなわち、背板１０のＸ方向における中央および前蓋９の下面部９ｅのＸ方向における中央に、それぞれ、第１の切欠き部１１および第２の切欠き部１１ａが形成されているので、流出口３は第１の切欠き部１１の領域Ｒ1 内に位置することになる。
【００２８】
なお、水栓本体５は、その両脚部１９，１９を、背板１０への押さえ部材２０を介してビス２１により背板１０に結合することによって固定されている。
【００２９】
また、水道用コンセントＶには、水栓本体５の前記流入パイプ１５における流入口２のまわりに接続用六角ナット３０が装着されている。このナット３０は、Ｃリング３１によって流入パイプ１５の軸線まわりに回転可能で、かつ、流入パイプ１５から抜けないように構成されている。３２は、シール用のＯリングで、流入パイプ１５の前端外周面に形成された環状溝３３に設けられている。
【００３０】
３８は、背板１０を壁４２に取り付けるためのビスである。
【００３１】
而して、例えば洗濯機用の単水栓４３を給水配管６５から取り外し、代わりに水道用コンセントＶを給水配管６５に接続するにあたり、まず、六角ナット３０を水栓本体５の流入パイプ１５に嵌め込んでおき、かつ、水栓本体５がビス２１にて固定された背板１０を壁４２にビス３８にて固定する。六角ナット３０は背板１０の中央に設けた第１の切欠き部１１から突出している。
【００３２】
この場合、六角スパナ等の工具を用いて六角ナット３０を締め付けることにより、六角ナット３０と給水配管６５のエルボ４１を接続する。
【００３３】
続いて、背板１０に前蓋９を取り付ける。この場合、開口１３に流量調整ハンドル６が配置され、第２の切欠き部１１ａからは流出パイプ１４が突出する。
【００３４】
最後に、前記流出パイプ１４に洗濯機の給水パイプを接続する。
【００３５】
このように単水栓４３を水道用コンセントＶに取り替えることにより以下の利点がある。
【００３６】
（１）図７で示した従来の単水栓４３の蛇口本体６１の壁面Ｗからの突出長さＡ1 （例えば１１５ｍｍ）に比して、水道用コンセントＶの壁面Ｗからの突出長さ（＝Ｄ＋Ｅ）が、例えば６５ｍｍと短くでき、前記単水栓４３と洗濯機の設置場所のスペースが非常に狭くなっている場合でも、洗濯機の蓋が水道用コンセントＶに当たるおそれがなくなる。
【００３７】
（２）また、セラミック製の弁体４を用いているので、耐久性があり、従来の単水栓４３のように、パッキン７６が劣化するという問題がなくなる。
【００３８】
（３）更に、全開させるのに、従来の単水栓４３では操作ハンドル８３を一回転以上させて栓棒７２を引っ張り上げるといった煩わしい操作を行う必要があったが、水道用コンセントＶを用いると、流量調整ハンドル６を９０°回転させるだけで全閉から全開に操作でき、操作性が良くなる。
【００３９】
（４）背板１０を壁４２にビス３８にて固定するので、従来の単水栓４３のように座金１０１と壁面Ｗとの間に隙間Ｍが生じるといった問題は起こらない。
【００４０】
上記実施形態では、給水配管６５の給水口１００が背板１０の中央に位置する構成のもの、すなわち、給水口１００と流入口２を接続するための六角ナット３０を第１の切欠き部１１の領域Ｒ1 内に位置させたものを示したが、図５は、給水口１００の位置を、背板１０の中央位置からずらせるように構成したこの発明の他の実施形態を示す。なお、図５において、図１〜図４に示した符号と同一のものは、同一または相当物である。
【００４１】
この実施形態では、上記実施形態と同様に下面部９ｅの中央に第２の切欠き部１１ａを形成しているが、第１の切欠き部１１を上記実施形態のように背板１０の中央ではなく、中央より偏った位置に形成している。よって、流出口３は第１の切欠き部１１の領域Ｒ1 内に位置せず領域Ｒ2 内に位置することになる。
【００４２】
このように給水配管６５の給水口１００が領域Ｒ2 外に位置するので、六角ナット３０の締め付け操作をし易くできる。なお、１０２はメクラ栓である。
【００４３】
図６は、流量調整ハンドル６を９０°回転可能なように前蓋９の上面部９ｄに配置したこの発明の更に他の実施形態を示す。なお、図６において、図１〜図５に示した符号と同一のものは、同一または相当物である。
【００４４】
この場合、上面部９ｄに開口（図示せず）が形成されており、この開口に流量調整ハンドル６が配置される。
【００４５】
なお、この発明では、流出パイプ１４からの例えば洗濯機の給水ホース側継手の接続解除を、流量調整ハンドル６を押し込むワンタッチ操作により行うことができる接続解除機構（例えば、特願平１０−１１５９６５号、特願平１０−１１５９６６号、特願２０００−  ３４９３号の各明細書、図面参照）を設けてもよい。この場合、更に、流量調整ハンドル６の閉栓位置での軸方向への押動を規制する押動ロック手段（例えば、特願平１０−１１５９６５号、特願平１０−１１５９６６号、特願２０００−  ３４９３号の各明細書、図面参照）も設けてもよい。
【００４６】
【発明の効果】
以上説明したようにこの発明によれば、壁面からの突出長さを短くした状態で壁に取り付けられている既設の単水栓に代えて容易に後施工できる。よって、例えば洗濯機の設置場所のスペースが非常に狭くなっている場合でも、従来洗濯機の蓋が前記単水栓の蛇口本体に当たるといったおそれはなくなる。
【００４７】
また、全開させるのに、従来の単水栓では操作ハンドルを一回転以上させて栓棒を引っ張り上げるといった煩わしい操作を行う必要があったが、流量調整ハンドルの操作性を向上できる。
【００４８】
更に、背板を壁に固定するので、従来の単水栓のように座金と壁面との間に隙間が生じるといった問題は起こらない。
【図面の簡単な説明】
【図１】  この発明の一実施形態を示す斜視図である。
【図２】  上記実施形態における構成説明図である。
【図３】  （Ａ）は、上記実施形態における正面図である。
（Ｂ）は、上記実施形態における前蓋を取り外した状態での正面図である。
【図４】  上記実施形態における伝達機構を示す構成説明図である。
【図５】  （Ａ）は、この発明の他の実施形態における前蓋を取り外した状態での正面図である。  （Ｂ）は、上記他の実施形態における構成説明図である。
【図６】  この発明の更に他の実施形態を示す斜視図である。
【図７】  従来例を示す構成説明図である。
【符号の説明】
１…ハウジング、２…流入口、３…流出口、４…弁体、４ａ…筒体、５…水栓本体、６…流量調整ハンドル、７…伝達機構、５６…スピンドル軸、５７…円筒部、５８…ピニオン部、５９…回動部材、６５…給水配管、Ｖ…水道用コンセント、Ｌ…ギヤ部材。
【図１】
0004460104.tif 000002
【図２】
0004460104.tif 000003
【図３】
0004460104.tif 000004
【図４】
0004460104.tif 000005
【図５】
0004460104.tif 000006
【図６】
0004460104.tif 000007
【図７】
0004460104.tif 000008